(57)【特許請求の範囲】
【請求項１】
第１固定筒と、
前記第１固定筒の内周に一体的に配置される第２固定筒と、
前記第１固定筒の内周であって前記第２固定筒の外周に配置されており、前記第１固定筒と係合して回転繰り出しされる回転筒と、
前記第２固定筒の内周に配置されており、前記回転筒と係合して直進繰り出しされる前群鏡筒とを有するレンズ鏡筒であって、
前記第２固定筒の内周であって前記前群鏡筒の外周に配置されており、前記回転筒に相対的に回転自在に保持され、かつ前記第２固定筒に設けられた第１案内溝に光軸方向に移動可能に係合される第１案内手段を有し、さらに前記前群鏡筒に設けられた第２案内手段と係合し前記前群鏡筒を光軸方向に移動可能に係合する第２案内溝を有する案内筒と、
電気回路実装と、
前記第２固定筒と該案内筒の間で前記第２固定筒に前記電気回路実装を保持する電気回路実装保持手段とを有し、
前記第２案内溝が設けられている部分の前記案内筒の直径は、前記第１案内手段が設けられている部分の前記案内筒の直径よりも小さく、
前記電気回路実装は、前記第２固定筒と前記電気回路実装保持手段との間に保持されていることを特徴とするレンズ鏡筒。
【請求項２】
前記電気回路実装保持手段は先端部に前記第２固定筒との係合部を、後端部に固定部を有することを特徴とする請求項１記載のレンズ鏡筒。
【請求項３】
前記第２固定筒には前記電気回路実装の位置する個所に開口部を有することを特徴とする請求項１または２記載の電気回路実装を有するレンズ鏡筒。
【発明の詳細な説明】
【０００１】
【発明の属する技術分野】
本発明は、固定筒と、該固定筒と係合して回転繰り出しされる回転筒と、該固定筒と該回転筒と係合して直進繰り出しされる前群鏡筒とから構成され、電気回路実装を有する写真レンズ等のレンズ鏡筒に関するものである。
【０００２】
【従来の技術】
一般に、ＡＦ、ＡＥ等の電気滴制御を行うカメラシステムでは、レンズの焦点距離や焦点位置などに対しそれぞれ特定の係数、情報をカメラ側と通信する必要があり、そのためレンズ鏡筒には現在の焦点距離、焦点位置等の情報を検知するための位置検出手段が設けられ、また、これらの情報を処理しカメラ側からの命令を受け、絞り等の各動作を制御する電気回路実装を有している。
そこで、従来は固定筒と、該固定筒と係合して回転繰り出しされる回転筒と、該回転筒と係合して直進繰り出しされる前群鏡筒とにより構成される多段繰出しのレンズ鏡筒において、電気回路実装は固定されるカメラボディ側に配置されていた。
【０００３】
【発明が解決しようとする課題】
ところが、前述従来例のようなレンズ鏡筒ではレンズ鏡筒内部に電気回路実装を具備するものはなかったので、自動制御する際に装着するカメラボディが限定されていた。
【０００４】
本発明は、前述従来例の問題点に鑑み、固定筒と、該固定筒と係合して回転繰り出しされる回転筒と、該回転筒と係合して直進繰り出しされる前群鏡筒により構成されるレンズ鏡筒において、電気回路実装を有して効率よくかつ低コストのレンズ鏡筒を提供することを目的とする。
【０００５】
【課題を解決するための手段】
前述の目的を達成するために、本発明は直進繰り出しされる前群鏡筒と該前群鏡筒を光軸方向に移動させる案内筒の案内をとるための第２固定筒との間で電気回路実装を保持させたものである。
【０００６】
【発明の実施の態様】
請求項１に示す本発明は、第１固定筒と、前記第１固定筒の内周に一体的に配置される第２固定筒と、前記第１固定筒の内周であって前記第２固定筒の外周に配置されており、前記第１固定筒と係合して回転繰り出しされる回転筒と、前記第２固定筒の内周に配置されており、前記回転筒と係合して直進繰り出しされる前群鏡筒とを有するレンズ鏡筒であって、前記第２固定筒の内周であって前記前群鏡筒の外周に配置されており、前記回転筒に相対的に回転自在に保持され、かつ前記第２固定筒に設けられた第１案内溝に光軸方向に移動可能に係合される第１案内手段を有し、さらに前記前群鏡筒に設けられた第２案内手段と係合し前記前群鏡筒を光軸方向に移動可能に係合する第２案内溝を有する案内筒と、電気回路実装と、前記第２固定筒と該案内筒の間で前記第２固定筒に前記電気回路実装を保持する電気回路実装保持手段とを有することにより、繰り出される前群鏡筒の案内を取るための第２固定筒に電気回路実装を保持することを可能にした。請求項２に示す本発明は、該電気回路実装保持手段は先端部に該第２固定筒との係合部を、後端部に固定部を有し、前記第２案内溝が設けられている部分の前記案内筒の直径は、前記第１案内手段が設けられている部分の前記案内筒の直径よりも小さく、前記電気回路実装は、前記第２固定筒と前記電気回路実装保持手段との間に保持されていることにより、該第２固定筒への保持方法を簡便化できる。請求項３に示す本発明は、該第２固定筒には該電気回路実装の位置する個所に開口部を有することにより、電気回路実装上にある他のプリント配線板との接続のためのコネクタの接続作業や電気回路実装機能の検査等の作業を行い易くし、また、電気回路実装上の電気回路部品の高さを吸収し省スペースにおさめられるようになる。
【０００７】
【実施例】
以下、本発明の一実施例を図１ないし図３に基づいて説明する。
図１は本実施例のレンズ鏡筒の短縮時の縦断面図、図２は同じく伸長時の縦断面図、図３はその要部の分解斜視図である。
図において、１は第１固定筒で、その内周部に雌ヘリコイド部１ａが形成されている。２は第２固定筒で、該第１固定筒１の内側に配置され、その後端部を該第１固定筒１の後端開口部に取付けられ、さらに光軸方向の案内溝２ａと開口部２ｃが、後端寄りに実装保持板取付け部２ｂを有している。３はマウントで、該第１固定筒１の後端面に取付けられている。
４は第１雄へリコイド環で、その外周面に形成した雄へリコイド部４ａが該第１固定筒１の雌ヘリコイド部１ａとヘリコイド結合されている。５は第２雄ヘリコイド環で、その後端縁を該第１雄へリコイド環４の後端縁に径方向に間隔を置いて固定され、該第２固定筒２の外周側に配置されており、その前端縁には押え板２０により後記する案内筒７が該第２雄ヘリコイド環５に対し回動自在に保持されている。６は操作環で、該第１雄へリコイド環４の前端縁に径方向に間隔を置いて固定されている。
【０００８】
７は直進案内筒で、その前端縁を前記第２雄ヘリコイド環５の前端縁に押え板２０により保持され、その後端部に設けた案内手段としてのコロ２２が前記第２固定筒２の案内溝２ａに内径側から係合して光軸方向に直進自在になっている。８は雌ヘリコイド環で、その内周面に形成した雌ヘリコイド部８ａは前記第１雄ヘリコイド環４の内径側において該第２雄ヘリコイド環５とヘリコイド結合されてる。９は前群鏡筒で、該雌ヘリコイド環８の前端部内径部に固定されており、その後端部に設けた案内手段であるコロ２３が該案内筒７に設けた光軸方向の案内溝７ａに内径側から係合して該案内筒７に対し直進自在に保持されている。また、該前群鏡筒９はその内径部に２群鏡筒１０を保持する３群鏡筒１１と該２群鏡筒１０の前部にに電気的絞り装置１４を保持している。
【０００９】
１２は後群鏡筒で、前記第１固定筒１の後端開口部に一体的に取り付けられている。１３は補助環で、前記操作環６と該第１固定筒１の間に配置され、該操作環６の直進方向の移動に連動している。１５は電気回路実装で、前記第２固定筒２の内周部に開口部２ｃを通して実装保持板１６により取付けられており、該実装保持板１６はその先端を係合部１６ａで係合され、その後端固定部１６ｂを該第２固定筒２後端の実装保持板取付け部２ｂにビス止めされている。
１７はフレキシブルプリント配線板で、該電気回路実装１５と前記電気的絞り装置１４とを接続するために前記直進案内筒７及び前群鏡筒９の外周面に沿って取付けられている。
【００１０】
なお、本実施例のカメラ用レンズ光学系は拡大光学系とするが、通常、拡大光学系では撮影倍率により露出倍数がかかることになり、この露出倍数がかかったＦナンバーを実効Ｆナンバーと呼んでいる。また、本実施例の写真レンズシステムではカメラ側との通信制御により電気的絞り装置１４を駆動させるものであり、この時レンズ光学系の位置、つまり撮影倍率により実効Ｆナンバーのデータをカメラ側に与える必要がある。本実施例では不図示の位置検出装置により現在のレンズ光学系の位置を検出し、この撮影倍率に対応した実効Ｆナンバーをカメラ側に与える。さらにカメラ側からの制御信号により電気的絞り装置１４を駆動させる処理を電気回路実装１５が行っている。
【００１１】
始めに、以上の構成の本実施例の組立手順を説明する。
まず、２群鏡筒１０、３群鏡筒１１を前群鏡筒９に固着したものを、直進案内筒７の案内溝７ａにコロ２３を係合させる。
次に、電気回路実装１５を保持する実装保持板１６を取付けた第２固定筒２の案内溝２ａに、該直進案内筒７のコロ２２を係合させる。この状態でさらに第１固定筒１を取付け、次いで該第１固定筒１の雌へリコイド部１ａに、操作環６、第１雄へリコイド環４及び第２雄へリコイド環５を部分組立てしたものをヘリコイド結合させる。この段階で、第２雄へリコイド環５に対し、直進案内筒７が回動可能となるように押え板２０にて保持する。
次に、雌ヘリコイド環８を第２雄へリコイド環５にへリコイド結合させつつ組付け、決められた位置で前群鏡筒９に固定する。最後に後群鏡筒１２、マウント３を取付けてレンズ鏡筒が完成する。
【００１２】
次に、本実施例のレンズ鏡筒の動作を説明する。
操作環６を回動すると、一体的に固定されている第１雄ヘリコイド環４の雄へリコイド部４ａと第１固定筒１の雌ヘリコイド部１ａとがヘリコイド結合しているために、操作環６自体が回動しつつ光軸方向に移動する。また、第２雄ヘリコイド環５に対し回動自在に保持されている直進案内筒７はコロ２２が第２固定筒２の案内溝２ａに係合しているために回動できず、直進方向にのみ移動する。
さらに、第２雄ヘリコイド環５の雄ヘリコイド部５ａには雌ヘリコイド環８の雌ヘリコイド部８ａがヘリコイド結合しているが、一体的に固定されている前群鏡筒９のコロ２３が直進案内筒７の案内溝７ａに係合しているため、直進案内筒７に対し回動することができず、雌ヘリコイド環８は直進移動することになる。
【００１３】
なお、本実施例では第１固定筒１の雌ヘリコイド部１ａと第１雄ヘリコイド環４の雄ヘリコイド部４ａ、第２雄ヘリコイド環５の雄ヘリコイド部５ａと雌ヘリコイド環８の雌ヘリコイド部８ａをそれぞれへリコイド結合としたが、これをそれぞれカムとコロによる係合とすることにより繰出量を非直線にすることができ、ある位置で位置検出の分解能を向上させたい時など前群鏡筒の移動量に対し直進案内筒の移動量を大きくするというような操作が可能となる。
また、本実施例では案内溝２ａ，７ａとの係合手段であるコロ２２，２３を別体部品としたが、組立が可能となるような構成をとり、それぞれ一体形状とすればさらに製作のコストダウンが期待できる。
なおまた、本実施例ではレンズ光学系を拡大光学系として説明したが、これをズーム光学系として焦点距離データをカメラ側に与える場合においても本発明の目的を達成できる。また、本実施例ではレンズ鏡筒を交換レンズ鏡筒としたが、カメラボディに固定されたレンズ鏡筒部であってもよいことはいうまでもない。
【００１４】
【発明の効果】
以上説明したように、請求項１に示す本発明は、第１固定筒と、前記第１固定筒の内周に一体的に配置される第２固定筒と、前記第１固定筒の内周であって前記第２固定筒の外周に配置されており、前記第１固定筒と係合して回転繰り出しされる回転筒と、前記第２固定筒の内周に配置されており、前記第１固定筒および前記回転筒と係合して直進繰り出しされる前群鏡筒とを有するレンズ鏡筒であって、前記第２固定筒の内周であって前記前群鏡筒の外周に配置されており、前記回転筒に相対的に回転自在に保持され、かつ前記第２固定筒に設けられた第１案内溝に光軸方向に移動可能に係合される第１案内手段を有し、さらに前記前群鏡筒に設けられた第２案内手段と係合し前記前群鏡筒を光軸方向に移動可能に係合する第２案内溝を有する案内筒と、電気回路実装と、前記第２固定筒と該案内筒の間で前記第２固定筒に前記電気回路実装を保持する電気回路実装保持手段とを有し、前記第２案内溝が設けられている部分の前記案内筒の直径は、前記第１案内手段が設けられている部分の前記案内筒の直径よりも小さく、前記電気回路実装は、前記第２固定筒と前記電気回路実装保持手段との間に保持されていることにより、直進繰り出される前群鏡筒と第２固定筒との間に効率よく電気回路実装を配置することを可能にする。請求項２に示す本発明は、該電気回路実装保持手段は先端部に該第２固定筒との係合部を、後端部に固定部を有することにより、ビス等の部品を少なくし低コストで電気回路実装を保持できる。請求項３に示す本発明は、該第２固定筒には該電気回路実装の位置する個所に開口部を有することにより、電気回路実装上にある他のプリント配線板との接続のためのコネクタの接続作業や電気回路実装機能の検査等の作業を行い易くし、また、電気回路実装上の電気回路部品の高さを吸収し省スペースに収められ、小型化にできる。
【図面の簡単な説明】
【図１】本発明に係る一実施例のレンズ鏡筒の短縮時の縦断面図である。
【図２】同じく、伸長時の縦断面図である。
【図３】その要部の分解斜視図である。
【符号の説明】
１・・第１固定筒、１ａ・・雌ヘリコイド部、２・・第２固定筒、２ａ・・案内溝、２ｂ・・実装保持板取付け部、２ｃ・・開口部、３・・マウント、４・・第１雄ヘリコイド環、４ａ・・雄ヘリコイド部、５・・第２雄ヘリコイド環、５ａ・・雄ヘリコイド部、６・・操作環、７・・直進案内筒、７ａ・・案内溝、８・・雌ヘリコイド環、８ａ・・雌ヘリコイド部、９・・前群鏡筒１０・・２群鏡筒、１１・・３群鏡筒、１２・・後群鏡筒、１３・・補助環、１４・・電気的絞り装置、１５・・電気回路実装、１６・・実装保持板、１６ａ・・係合部、１６ｂ・・後端固定部、１７・・フレキシブルプリント配線板、２０・・押え板、２２，２３・・コロ。
【図１】
0004454729.tif 000002
【図２】
0004454729.tif 000003
【図３】
0004454729.tif 000004